(57)【特許請求の範囲】
【請求項１】
吸気側から燃焼領域を経て排気側へ至る燃焼流路と、
前記燃焼領域へ向けて主燃料噴射孔から主燃料を噴射可能な主燃料噴射手段と、
前記燃焼領域へ向けてパイロット燃料噴射孔からパイロット燃料を噴射可能なパイロット燃料噴射手段と、を備え、
前記パイロット燃料噴射手段は、前記パイロット燃料噴射孔の吸気側に循環流を形成するように前記パイロット燃料を噴射し、
前記主燃料噴射手段は、吸気側から排気側へ流れるガス流れ方向に傾けて噴射し、
前記主燃料噴射孔および前記パイロット燃料噴射孔は、吸気側から排気側へ流れるガス流れ方向に対し、直交方向に並べて設けられ、
前記パイロット燃料噴射孔は、隣接する一方の前記主燃料噴射孔と他方の前記主燃料噴射孔との間に設けられていることを特徴とする超音速燃焼器。
【請求項２】
前記主燃料噴射手段は、前記主燃料の噴射方向と前記ガス流れ方向とが為す主燃料噴射角度が低角度となるように前記主燃料を噴射し、
前記パイロット燃料噴射手段は、前記パイロット燃料の噴射方向と前記ガス流れ方向とがなすパイロット燃料噴射角度が、前記主燃料噴射角度に比して大きい高角度となるように前記パイロット燃料を噴射することを特徴とする請求項１に記載の超音速燃焼器。
【請求項３】
前記主燃料噴射角度は、６０°未満であり、
前記パイロット燃料噴射角度は、６０°以上から９０°以下であることを特徴とする請求項２に記載の超音速燃焼器。
【請求項４】
吸気側から燃焼領域を経て排気側へ至る燃焼流路と、
前記燃焼領域へ向けて主燃料噴射孔から主燃料を噴射可能な主燃料噴射手段と、
前記燃焼領域へ向けてパイロット燃料噴射孔からパイロット燃料を噴射可能なパイロット燃料噴射手段と、を備え、
前記パイロット燃料噴射手段は、前記パイロット燃料噴射孔の吸気側に循環流を形成するように前記パイロット燃料を噴射し、
前記主燃料噴射手段は、吸気側から排気側へ流れるガス流れ方向に傾けて噴射し、
前記主燃料噴射孔および前記パイロット燃料噴射孔は、吸気側から排気側へ流れるガス流れ方向に対し、直交方向に並べて設けられ、
前記パイロット燃料噴射孔は、前記直交方向における開口幅が、前記直交方向における前記主燃料噴射孔の開口幅に比して広いことを特徴とする超音速燃焼器。
【請求項５】
前記パイロット燃料噴射孔は、その開口が、前記直交方向を長手方向とする矩形状に形成されていることを特徴とする請求項４に記載の超音速燃焼器。
【請求項６】
吸気側から燃焼領域を経て排気側へ至る燃焼流路と、
前記燃焼領域へ向けて主燃料噴射孔から主燃料を噴射可能な主燃料噴射手段と、
前記燃焼領域へ向けてパイロット燃料噴射孔からパイロット燃料を噴射可能なパイロット燃料噴射手段と、を備え、
前記パイロット燃料噴射手段は、前記パイロット燃料噴射孔の吸気側に循環流を形成するように前記パイロット燃料を噴射し、
前記主燃料噴射手段は、吸気側から排気側へ流れるガス流れ方向に傾けて噴射し、
前記主燃料噴射孔および前記パイロット燃料噴射孔は、吸気側から排気側へ流れるガス流れ方向に対し、直交方向に並べて設けられ、
前記パイロット燃料噴射孔は、前記直交方向へ向けて前記パイロット燃料が噴射され、且つ噴射された前記パイロット燃料が衝突するように、前記直交方向に対向させて一対設けられていることを特徴とする超音速燃焼器。
【請求項７】
前記パイロット燃料噴射孔は、前記主燃料噴射孔に対して、吸気側に設けられていることを特徴とする請求項１ないし６のいずれか１項に記載の超音速燃焼器。
【請求項８】
前記主燃料噴射手段および前記パイロット燃料噴射手段を制御する噴射制御手段をさらに備え、
前記噴射制御手段は、前記燃焼領域において保炎状態となる場合、前記パイロット燃料噴射手段による前記パイロット燃料の噴射を停止させることを特徴とする請求項１ないし７のいずれか１項に記載の超音速燃焼器。
【発明の詳細な説明】
【技術分野】
【０００１】
本発明は、超音速燃焼を行うスクラムジェットエンジン等の超音速燃焼器に関するものである。
【背景技術】
【０００２】
超音速燃焼器内に高速で流れる空気流中に燃料を噴射し、着火／保炎をおこなうためには高度な技術を要し、これまでのアイデアとして、主燃料噴射ノズルと、補助燃料噴射ノズルとを備えた超音速燃焼器が考えられている（例えば、特許文献１参照）。この超音速燃焼器において、主燃料噴射ノズルは、超音速空気流に対して、主燃料を垂直に噴射している。また、補助燃料噴射ノズルは、形成された循環領域に向けて補助燃料を噴射している。このため、主燃料噴射ノズルの上流側における超音速空気流には、循環領域が形成される。形成された循環領域では、主流流速よりも低速流となり、滞留時間の増加および断熱変化を仮定した場合での温度上昇が期待でき、超音速燃焼器における着火／保炎性を向上させている。
【先行技術文献】
【特許文献】
【０００３】
【特許文献１】特開平８−３３４２１３号公報
【発明の概要】
【発明が解決しようとする課題】
【０００４】
しかしながら、従来の超音速燃焼器では、主燃料噴射ノズルが、超音速空気流に対して、主燃料を垂直に噴射しているため、超音速空気流に強い衝撃波が発生する。強い衝撃波が発生すると、超音速空気流が流れる燃焼流路における圧力損失が大きくなるため、燃焼流路が熱閉塞し易くなる。つまり、従来の超音速燃焼器では、保炎性を向上できるものの、燃焼流路における圧力損失が大きいため、燃焼流路の熱閉塞が発生し易い。一方、燃焼流路における圧力損失を小さくすべく、超音速空気流に対して、主燃料噴射ノズルから噴射される主燃料を、超音速空気流の流れ方向に傾けて噴射する。この場合、燃焼流路における圧力損失を小さくすることができるため、超音速燃焼器は、熱閉塞の発生を抑制できるものの、循環領域が形成され難くなることから、保炎性が低下してしまう。
【０００５】
そこで、本発明は、熱閉塞の発生を抑制しつつ、保炎状態を維持することができる超音速燃焼器を提供することを課題とする。
【課題を解決するための手段】
【０００６】
本発明の超音速燃焼器は、吸気側から燃焼領域を経て排気側へ至る燃焼流路と、燃焼領域へ向けて主燃料噴射孔から主燃料を噴射可能な主燃料噴射手段と、燃焼領域へ向けてパイロット燃料噴射孔からパイロット燃料を噴射可能なパイロット燃料噴射手段と、を備え、パイロット燃料噴射手段は、パイロット燃料噴射孔の吸気側に循環流を形成するようにパイロット燃料を噴射し、主燃料噴射手段は、吸気側から排気側へ流れるガス流れ方向に傾けて噴射することを特徴とする。
【０００７】
この構成によれば、パイロット燃料噴射手段により、パイロット燃料噴射孔の吸気側に循環流を形成することができる。これにより、形成された循環流では、パイロット燃料と空気等の酸化剤とが混合しやすくなるため、保炎性を向上させることができる。このとき、主燃料噴射手段は、吸気側から排気側へ流れるガス流れ方向に傾けて噴射することにより、燃焼流路における圧力損失を小さくすることができるため、熱閉塞の発生を抑制することができる。
【０００８】
この場合、主燃料噴射孔およびパイロット燃料噴射孔は、吸気側から排気側へ流れるガス流れ方向に対し、直交方向に並べて設けられ、主燃料噴射手段は、主燃料の噴射方向とガス流れ方向とが為す主燃料噴射角度が低角度となるように主燃料を噴射し、パイロット燃料噴射手段は、パイロット燃料の噴射方向とガス流れ方向とがなすパイロット燃料噴射角度が、主燃料噴射角度に比して大きい高角度となるようにパイロット燃料を噴射することが好ましい。
【０００９】
この構成によれば、パイロット燃料噴射角度を、主燃料噴射角度に比して大きくすることができる。このため、パイロット燃料噴射角度は主燃料噴射角度よりも大きいため、パイロット燃料噴射手段は、循環流を形成することができ、保炎性を向上させることができる。また、主燃料噴射角度はパイロット燃料噴射角度よりも小さいため、主燃料噴射手段は、燃焼流路における圧力損失を小さくすることができ、熱閉塞の発生を抑制することができる。
【００１０】
この場合、主燃料噴射角度は、６０°未満であり、パイロット燃料噴射角度は、６０°以上から９０°以下であることが好ましい。
【００１１】
この構成によれば、主燃料噴射手段により噴射される主燃料の主燃料噴射角度を好適な噴射角度とすることができるため、燃焼流路における圧力損失を好適に低減することができる。また、パイロット燃料噴射手段により噴射されるパイロット燃料のパイロット燃料噴射角度を好適な噴射角度とすることができるため、循環流を好適に形成することができる。
【００１２】
この場合、パイロット燃料噴射孔は、隣接する一方の主燃料噴射孔と他方の主燃料噴射孔との間に設けられていることが好ましい。
【００１３】
この構成によれば、パイロット燃料噴射孔周りにおいて保持された燃焼（保炎）により、隣接する主燃料噴射孔から噴射される主燃料へ着火することができる。このため、主燃料噴射孔周りにおける燃焼状態を好適に保持することができる。
【００１４】
この場合、主燃料噴射孔およびパイロット燃料噴射孔は、吸気側から排気側へ流れるガス流れ方向に対し、直交方向に並べて設けられ、パイロット燃料噴射孔は、直交方向における開口幅が、直交方向における主燃料噴射孔の開口幅に比して広いことが好ましい。
【００１５】
この構成によれば、パイロット燃料噴射孔の開口幅を、主燃料噴射孔の開口幅に比して広くすることができる。このため、パイロット燃料噴射孔の開口幅は主燃料噴射孔の開口幅よりも広い分、パイロット燃料噴射孔の吸気側に循環流を形成することができる。これにより、形成された循環流では、パイロット燃料と空気等の酸化剤とが混合しやすくなるため、パイロット燃料噴射手段は、保炎性を向上させることができる。
【００１６】
この場合、パイロット燃料噴射孔は、その開口が、直交方向を長手方向とする矩形状に形成されていることが好ましい。
【００１７】
この構成によれば、パイロット燃料噴射孔の開口の吸気側に循環流を形成することができる。
【００１８】
この場合、主燃料噴射孔およびパイロット燃料噴射孔は、吸気側から排気側へ流れるガス流れ方向に対し、直交方向に並べて設けられ、パイロット燃料噴射孔は、直交方向へ向けてパイロット燃料が噴射され、且つ噴射されたパイロット燃料が衝突するように、直交方向に対向させて一対設けられていることが好ましい。
【００１９】
この構成によれば、対向する一対のパイロット燃料噴射孔から噴射されたパイロット燃料を衝突させることにより、パイロット燃料噴射孔の吸気側に循環流を形成することができる。これにより、形成された循環流では、パイロット燃料と空気等の酸化剤とが混合しやすくなるため、保炎性を向上させることができる。
【００２０】
この場合、パイロット燃料噴射孔は、主燃料噴射孔に対して、吸気側に設けられていることが好ましい。
【００２１】
この構成によれば、パイロット燃料噴射孔が主燃料噴射孔の吸気側に設けられることで、パイロット噴射により発生する衝撃波によって、パイロット燃料噴射孔周りの燃焼領域が排気側へ拡散する。これにより、パイロット燃料噴射孔周りにおいて保持された燃焼（保炎）により、主燃料噴射孔から噴射される主燃料へ着火する場合、パイロット燃料噴射孔周りの燃焼領域が排気側へ拡散することから、主燃料への着火を広域に亘って行うことができる。
【００２２】
この場合、主燃料噴射手段およびパイロット燃料噴射手段を制御する噴射制御手段をさらに備え、噴射制御手段は、燃焼領域において保炎状態となる場合、パイロット燃料噴射手段によるパイロット燃料の噴射を停止させることが好ましい。
【００２３】
この構成によれば、主燃料の燃焼が保持されている状態で、パイロット燃料の噴射を停止することができる。このため、パイロット噴射によって生じる圧力損失を低減でき、これにより、燃焼流路における圧力損失をさらに小さくすることができるため、熱閉塞の発生をより抑制することができる。
【発明の効果】
【００２４】
本発明の超音速燃焼器によれば、パイロット燃料噴射手段によりパイロット燃料噴射孔の吸気側に循環流を形成することができ、主燃料噴射手段によりガス流れ方向に傾けて噴射することができるため、熱閉塞の発生を抑制しつつ、保炎状態を維持することができる。
【図面の簡単な説明】
【００２５】
【図１】図１は、実施例１に係る超音速燃焼器を搭載した超音速航空機である。
【図２】図２は、超音速燃焼器の概略構成図である。
【図３】図３は、超音速燃焼器の燃料噴射部周りの模式図である。
【図４】図４は、主燃料噴射孔およびパイロット燃料噴射孔の平面図である。
【図５】図５は、超音速燃焼器の燃料噴射部周りの断面図である。
【図６】図６は、超音速燃焼器の制御部による制御動作に関するフローチャートである。
【図７】図７は、変形例１に係る超音速燃焼器の主燃料噴射孔およびパイロット燃料噴射孔の平面図である。
【図８】図８は、実施例２に係る超音速燃焼器の主燃料噴射孔およびパイロット燃料噴射孔の平面図である。
【図９】図９は、実施例３に係る超音速燃焼器の主燃料噴射孔およびパイロット燃料噴射孔の平面図である。
【発明を実施するための形態】
【００２６】
以下、添付した図面を参照して、本発明の超音速燃焼器について説明する。なお、以下の実施例によりこの発明が限定されるものではない。また、下記実施例における構成要素には、当業者が置換可能かつ容易なもの、あるいは実質的に同一のものが含まれる。
【実施例１】
【００２７】
実施例１に係る超音速燃焼器は、例えば、スクラムジェットエンジンであり、超音速航空機に搭載されている。先ず、図１および図２を参照して、超音速航空機に搭載された超音速燃焼器について説明する。
【００２８】
図１は、実施例１に係る超音速燃焼器を搭載した超音速航空機であり、図２は、超音速燃焼器の概略構成図である。超音速燃焼器５は、超音速航空機１の進行方向に対して、前方側が吸気側となっており、後方側が排気側となっている。このため、超音速燃焼器５は、前方側から空気を取り込み、取り込んだ空気を酸化剤として燃料を燃焼させ、後方側から燃焼したガスを排気することで、超音速航空機１の推進力を得ている。
【００２９】
超音速燃焼器５は、超音速燃焼が可能な構成となっており、超音速航空機１の底面に設けられたカウル１０と、カウル１０の内部に設けられたストラット１１とを有している。カウル１０とストラット１１との間には、吸気側から排気側にかけて燃焼流路Ｒが、ストラット１１を挟んで両側に形成されている。この燃焼流路Ｒは、取り込んだ空気のガス流れ方向が、吸気側から排気側へ向かう方向となっている。
【００３０】
燃焼流路Ｒは、吸気部１５と、スロート部１６と、排気部１７とを有している。吸気部１５は、その流路幅が、吸気側から排気側へ向けて狭くなるように形成されている。排気部１７は、その流路幅が、吸気側から排気側へ向けて広くなるように形成されている。スロート部１６は、その流路幅が、吸気部１５および排気部１７に比して狭くなっている。この燃焼流路Ｒには、取り込んだ空気と燃料とが混合した混合気を燃焼させる燃焼領域Ｓが形成され、燃焼領域Ｓは、スロート部１６から排気部１７にかけて形成される。
【００３１】
これにより、超音速航空機１が超音速で航行すると、超音速燃焼器５は、吸気側から取り込まれる空気が超音速となった状態で燃焼を行うことにより、超音速燃焼が行われることとなる。
【００３２】
また、超音速燃焼器５は、燃焼領域Ｓへ向けて燃料を噴射する燃料噴射部２１と、燃焼領域Ｓにおける燃焼状態を検出する検出部２２と、検出部２２による検出結果に基づいて燃料噴射部２１を制御可能な制御部（噴射制御手段）２３と、を備え、燃料噴射部２１および検出部２２は、燃焼流路Ｒの両側にそれぞれ設けられている。
【００３３】
ここで、図３ないし図５を参照して、片側の燃焼流路Ｒにおける燃料噴射部２１について説明する。図３は、超音速燃焼器の燃料噴射部周りの模式図であり、図４は、主燃料噴射孔およびパイロット燃料噴射孔の平面図であり、図５は、超音速燃焼器の燃料噴射部周りの断面図である。
【００３４】
燃料噴射部２１は、燃料チャンバ２４と、主燃料噴射ノズル２５と、パイロット燃料噴射ノズル２６と、パイロット燃料噴射停止弁２７とを有している。燃料チャンバ２４は、各噴射ノズル２５，２６へ向けて供給される液体水素等の燃料が流通する燃流供給流路の一部を構成している。
【００３５】
主燃料噴射ノズル２５は、中空円柱状に形成され、その一方が燃料チャンバ２４に接続され、その他方がストラット１１の外壁面に接続されている。主燃料噴射ノズル２５が接続されるストラット１１の外壁面には、主燃料噴射孔２８が形成され、主燃料噴射ノズル２５は、主燃料噴射孔２８と連通している。そして、主燃料噴射ノズル２５および主燃料噴射孔２８は、複数設けられており、複数の主燃料噴射ノズル２５は、ストラット１１の外壁面に並べて設けられた複数の主燃料噴射孔２８を介して、主燃料を噴射する。
【００３６】
パイロット燃料噴射ノズル２６は、主燃料噴射ノズル２５と同様に、中空円柱状に形成され、その一方が燃料チャンバ２４に接続され、その他方がストラット１１の外壁面に接続されている。パイロット燃料噴射ノズル２６が接続されるストラット１１の外壁面には、パイロット燃料噴射孔２９が形成され、パイロット燃料噴射ノズル２６は、パイロット燃料噴射孔２９と連通している。そして、パイロット燃料噴射ノズル２６およびパイロット燃料噴射孔２９は、１つ設けられており、パイロット燃料噴射ノズル２６は、ストラット１１の外周面に設けられた１つのパイロット燃料噴射孔２９を介して、パイロット燃料を噴射する。なお、実施例１では、パイロット燃料噴射孔２９を１つ設けたが、少なくとも１つであればよく、複数設けられていてもよい。つまり、パイロット燃料噴射孔２９は、主燃料噴射孔２８よりも少数となっている。
【００３７】
主燃料噴射ノズル２５は、主燃料の噴射方向とガス流れ方向とが為す主燃料噴射角度θａが、３０°となっている。このため、主燃料噴射孔２８は、その開口が楕円形状となっている。そして、主燃料噴射ノズル２５は、ガス流れ方向に傾けて主燃料を噴射するため、ガス流れ方向の直交方向に主燃料を噴射した場合に比して、燃焼流路Ｒに発生する圧力損失を抑制することができる。
【００３８】
パイロット燃料噴射ノズル２６は、パイロット燃料の噴射方向とガス流れ方向とが為すパイロット燃料噴射角度θｂが、９０°、すなわち直角となっている。このため、パイロット燃料噴射孔２９は、その開口が円形状となっている。これにより、パイロット燃料噴射ノズル２６は、パイロット燃料噴射角度θｂが、主燃料噴射角度θａに比して高角度となる。換言すれば、主燃料噴射ノズル２５は、主燃料噴射角度θａが、パイロット燃料噴射角度θｂに比して低角度となる。そして、パイロット燃料噴射ノズル２６は、ガス流れ方向の直交方向にパイロット燃料を噴射するため、パイロット燃料噴射孔２９の吸気側に、循環流を形成することができる。
【００３９】
なお、実施例１では、主燃料噴射ノズル２５の主燃料噴射角度θａを３０°としたが、６０°未満であればよい。つまり、主燃料噴射角度θａの低角度とは、６０°未満である。また、実施例１では、パイロット燃料噴射ノズル２６のパイロット燃料噴射角度θｂを９０°としたが、６０°以上９０°以下であればよい。つまり、パイロット燃料噴射角度θｂの高角度とは、６０°以上９０°以下である。
【００４０】
また、図４に示すように、複数の主燃料噴射孔２８およびパイロット燃料噴射孔２９は、ガス流れ方向に対して直交する直交方向に並べて設けられている。このとき、パイロット燃料噴射孔２９は、隣接する一方の主燃料噴射孔２８と他方の主燃料噴射孔２８との間に設けられている。そして、複数の主燃料噴射孔２８およびパイロット燃料噴射孔２９は、直交方向において等間隔に設けられている。また、パイロット燃料噴射孔２９は、主燃料噴射孔２８に対し、僅かに吸気側に寄せて配置されている。このとき、パイロット燃料噴射孔２９は、パイロット燃料噴射孔２９と隣接する主燃料噴射孔２８とを結ぶ方向とガス流れ方向とが為す角度αが「α＝ｔａｎ−１（１／Ｍａ）」となるように配置される。なお、Ｍａは、超音速燃焼器５の定格運転時における燃焼流路Ｒでのマッハ数である。
【００４１】
パイロット燃料噴射停止弁２７は、パイロット燃料噴射孔２９を閉塞する閉塞ロッド３１と、閉塞ロッド３１を開弁位置Ｌ１と閉弁位置Ｌ２との間で移動させるアクチュエータ３２とを有している。閉塞ロッド３１は、その先端がテーパー形状となっている。また、閉塞ロッド３１の先端が挿入されるパイロット燃料噴射ノズル２６は、閉塞ロッド３１の先端と相補的形状となるテーパー形状になっている。
【００４２】
閉塞ロッド３１は、アクチュエータ３２により、開弁位置Ｌ１に位置すると、パイロット燃料噴射孔２９を開放することで、パイロット燃料の噴射を許容する。一方、閉塞ロッド３１は、アクチュエータ３２により、閉弁位置Ｌ２に位置すると、パイロット燃料噴射孔２９を閉塞することで、パイロット燃料の噴射を停止する。また、閉塞ロッド３１は、閉弁位置Ｌ２に位置した状態において、ストラット１１の外壁面と面一になるよう形成されている。このため、パイロット燃料噴射孔２９は、パイロット燃料の噴射停止状態において、ガス流れを乱すことがない。アクチュエータ３２は、制御部２３に接続され、制御部２３は、アクチュエータ３２を制御し、閉塞ロッド３１を開弁位置Ｌ１または閉弁位置Ｌ２に移動させることで、パイロット燃料の噴射を許容または停止させている。
【００４３】
検出部２２は、圧力センサまたは温度センサ等を用いて構成され、燃焼領域Ｓにおける燃焼状態を検出している。検出部２２は、制御部２３に接続され、制御部２３は、検出部２２の検出結果に基づいて、燃料噴射部２１の制御を行う。
【００４４】
制御部２３は、検出部２２によって検出した燃焼領域Ｓの燃焼状態に応じて、燃料噴射部２１を制御している。以下、図６を参照して、制御部２３による制御動作について説明する。図６は、超音速燃焼器の制御部による制御動作に関するフローチャートである。
【００４５】
制御部２３は、燃焼流路Ｒの吸気側におけるガス流れが超音速になると（マッハに達すると）、超音速燃焼器５の制御を開始する（ステップＳ１）。制御部２３は、超音速燃焼器５の制御を開始すると、先ず、主燃料噴射ノズル２５から主燃料を噴射し、パイロット燃料噴射停止弁２７を開弁させてパイロット燃料噴射ノズル２６からパイロット燃料を噴射する（ステップＳ２）。噴射された主燃料およびパイロット燃料は、自然着火、または各噴射孔２８，２９回りに設けられた点火装置を用いて燃焼させる。
【００４６】
この後、制御部２３は、検出部２２により燃焼領域Ｓにおける燃焼状態が安定的に保持されているか否か、すなわち保炎状態となっているか否かを判定する（ステップＳ３）。制御部２３は、ステップＳ３において、保炎状態となっていると判定すると（ステップＳ３：Ｙｅｓ）、パイロット燃料噴射停止弁２７を閉弁させてパイロット燃料の噴射を停止する（ステップＳ４）。一方、制御部２３は、ステップＳ３において、保炎状態となっていないと判定すると（ステップＳ３：Ｎｏ）、パイロット燃料の噴射を継続する（ステップＳ５）。
【００４７】
制御部２３は、ステップＳ４またはステップＳ５の実行後、超音速燃焼器５の制御を終了するか否かを判定する（ステップＳ６）。制御部２３は、例えば、燃焼流路Ｒの吸気側におけるガス流れがマッハ未満である場合、または超音速燃焼器５の制御を終了する旨の信号を取得した場合、超音速燃焼器５の制御を終了する。制御部２３は、超音速燃焼器５の制御を終了すると判定すると（ステップＳ６：Ｙｅｓ）、超音速燃焼器５の制御を終了する（ステップＳ７）。一方で、制御部２３は、超音速燃焼器５の制御を終了しないと判定すると（ステップＳ６：Ｎｏ）、ステップＳ３に進む。
【００４８】
以上のように、実施例１の構成によれば、パイロット燃料噴射ノズル２６は、パイロット燃料噴射角度θｂを直角とすることができるため、パイロット燃料噴射孔２９の吸気側に循環流を形成することができる。これにより、形成された循環流では、パイロット燃料と空気等の酸化剤とが混合しやすくなるため、保炎性を向上させることができる。また、主燃料噴射ノズル２５は、ガス流れ方向に傾けて主燃料を噴射することができるため、燃焼流路Ｒにおける圧力損失を小さくすることができ、熱閉塞の発生を抑制することができる。
【００４９】
また、実施例１の構成によれば、パイロット燃料噴射孔２９を、隣接する一方の主燃料噴射孔２８と他方の主燃料噴射孔２８との間に設けることができるため、パイロット燃料噴射孔２９周りにおいて保持された燃焼状態を、隣接する主燃料噴射孔２８へ向けて広げることができる。このため、パイロット燃料噴射ノズル２６は、主燃料噴射孔２８から噴射される主燃料に、好適に着火させることができる。
【００５０】
また、実施例１の構成によれば、パイロット燃料噴射孔２９を、主燃料噴射孔２８に対して、吸気側に設けることができるため、パイロット燃料噴射孔２９周りにおいて保持された燃焼状態を、排気側の主燃料噴射孔２８へ向けて拡散させることができる。このため、パイロット燃料噴射ノズル２６は、主燃料噴射孔２８から噴射される主燃料に、好適に着火させることができる。
【００５１】
また、実施例１の構成によれば、制御部２３は、燃焼領域Ｓにおいて保炎状態となると、パイロット燃料の噴射を停止させることができるため、パイロット噴射によって生じる圧力損失を低減できる。これにより、制御部２３は、主燃料の燃焼時において、燃焼流路Ｒにおける圧力損失をより小さくすることができるため、熱閉塞の発生をさらに抑制することができる。
【００５２】
なお、実施例１では、燃料チャンバ２４に、主燃料噴射ノズル２５およびパイロット燃料噴射ノズル２６が接続されていたため、制御部２３は、超音速燃焼器５の制御開始時において、主燃料およびパイロット燃料を噴射した。しかしながら、燃料チャンバ２４の内部が、主燃料噴射ノズル２５およびパイロット燃料噴射ノズル２６のそれぞれに燃料を供給可能に区画されていれば、制御部２３は、超音速燃焼器５の制御開始時において、パイロット燃料のみを噴射してもよい。
【００５３】
また、実施例１では、パイロット燃料噴射孔２９を、主燃料噴射孔２８に対し、僅かに吸気側に寄せて配置したが、この構成に限らず、図７に示す変形例１のように構成してもよい。図７は、変形例１に係る超音速燃焼器の主燃料噴射孔およびパイロット燃料噴射孔の平面図である。変形例１では、複数の主燃料噴射孔２８が並べられた直交方向と同一直線上となるように、パイロット燃料噴射孔２９を配置している。
【実施例２】
【００５４】
次に、図８を参照して、実施例２に係る超音速燃焼器について説明する。なお、重複した記載を避けるべく、実施例１と異なる部分についてのみ説明する。図８は、実施例２に係る超音速燃焼器の主燃料噴射孔およびパイロット燃料噴射孔の平面図である。実施例１の超音速燃焼器５では、主燃料噴射孔２８の直交方向における開口幅とパイロット燃料噴射孔２９の直交方向における開口幅とが同幅となっていたが、実施例２の超音速燃焼器５０では、パイロット燃料噴射孔５１の直交方向における開口幅が、主燃料噴射孔２８の直交方向における開口幅に比して広くなっている。
【００５５】
図８に示すように、実施例２におけるパイロット燃料噴射孔５１は、その開口が矩形状となっており、矩形の長手方向が、ガス流れ方向に直交する直交方向となっている。このため、燃焼流路Ｒのガス流れは、パイロット燃料噴射孔５１において剥離が生じ易くなり、パイロット燃料噴射ノズル２６は、パイロット燃料噴射孔５１の吸気側に循環流を形成することができる。また、パイロット燃料噴射孔５１は、実施例１と同様に、主燃料噴射孔２８に対し、僅かに吸気側に寄せて配置されている。なお、パイロット燃料噴射ノズル２６は、パイロット燃料噴射角度θｂが９０°以下であればよく、限定されない。
【００５６】
以上のように、実施例２の構成においても、パイロット燃料噴射ノズル２６は、パイロット燃料噴射孔５１の吸気側に循環流を形成することができる。これにより、形成された循環流では、パイロット燃料と空気等の酸化剤とが混合しやすくなるため、保炎性を向上させることができる。
【実施例３】
【００５７】
次に、図９を参照して、実施例３に係る超音速燃焼器について説明する。なお、重複した記載を避けるべく、実施例１と異なる部分についてのみ説明する。図９は、実施例３に係る超音速燃焼器の主燃料噴射孔およびパイロット燃料噴射孔の平面図である。実施例１の超音速燃焼器５では、１つのパイロット燃料噴射孔２９からパイロット燃料を噴射していたが、実施例３の超音速燃焼器６０では、対向する一対のパイロット燃料噴射孔６１からパイロット燃料を噴射している。
【００５８】
図９に示すように、実施例３における一対のパイロット燃料噴射孔６１は、直交方向に対向させて配置されている。このため、一対のパイロット燃料噴射孔６１から噴射されたパイロット燃料が衝突することで、パイロット燃料噴射孔６１の吸気側に循環流を形成することができる。また、一対のパイロット燃料噴射孔６１は、実施例１と同様に、主燃料噴射孔２８に対し、僅かに吸気側に寄せて配置されている。なお、パイロット燃料噴射ノズル２６は、パイロット燃料噴射角度θｂが９０°以下であればよく、限定されない。
【００５９】
以上のように、実施例３の構成においても、パイロット燃料噴射ノズル２６は、一対のパイロット燃料噴射孔６１の吸気側に循環流を形成することができる。これにより、形成された循環流では、パイロット燃料と空気等の酸化剤とが混合しやすくなるため、保炎性を向上させることができる。
【符号の説明】
【００６０】
１  超音速航空機
５  超音速燃焼器
１０  カウル
１１  ストラット
１５  吸気部
１６  スロート部
１７  排気部
２１  燃料噴射部
２２  検出部
２３  噴射制御部
２４  燃料チャンバ
２５  主燃料噴射ノズル
２６  パイロット燃料噴射ノズル
２７  パイロット燃料噴射停止弁
２８  主燃料噴射孔
２９  パイロット燃料噴射孔
３１  閉塞ロッド
３２  アクチュエータ
５０  超音速燃焼器（実施例２）
５１  パイロット燃料噴射孔（実施例２）
６０  超音速燃焼器（実施例３）
６１  パイロット燃料噴射孔（実施例３）
Ｒ  燃焼流路
Ｓ  燃焼領域
θａ  主燃料噴射角度
θｂ  パイロット燃料噴射角度
α  角度
Ｌ１  開弁位置
Ｌ２  閉弁位置
【図１】
0005701187.tif 000002
【図２】
0005701187.tif 000003
【図３】
0005701187.tif 000004
【図４】
0005701187.tif 000005
【図５】
0005701187.tif 000006
【図６】
0005701187.tif 000007
【図７】
0005701187.tif 000008
【図８】
0005701187.tif 000009
【図９】
0005701187.tif 000010